【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】  車椅子のバックフレームの一対の間隔をおかれたポスト又は杖にシートバックを据え付けるための車椅子シートバックシステムであって、
横方向に相対して間隔をおかれた第１の一対の据え付け場所、および横方向に相対して間隔をおかれ、前記第１の相対する一対の据え付け場所から長手方向に間隔をおかれた第２の一対の据え付け場所と、
前記シートバックの第１の一対の相対する据え付け場所に取り付けられた横方向へ伸びる第１の一対のピンと、
前記シートバックの第２の一対の相対する据え付け場所に取り付けられた横方向へ伸びる第２の一対のピンと、
それぞれ各杖に取り付けられかつ前記第１の一対の伸長ピンを受け入れるように配置された第１の一対の据え付けクリップと、
それぞれ各杖に取り付けられかつ前記第２の一対の伸長ピンを受け入れるように配置された第２の一対の据え付けクリップとを含み、
前記第１の一対の据え付けクリップ又は前記第２の一対の据え付けクリップの一方が、一対の伸長ピンを保持するための解放可能の自動ロック機構であって該機構のユーザの操作により前記伸長ピンを解放するための自動ロック機構を含む、車椅子シートバックシステム。
【請求項２】  各自動ロック機構は、回転可能のカム本体を収容しかつ爪を保持するブラケット部を含み、前記カム本体は、伸長ピンを選択的に受け入れるための大きい窪みを規定する、請求項１に記載のシステム。
【請求項３】  前記第１の一対の横方向へ伸びるピン又は前記第２の一対の横方向へ伸びるピンの少なくとも一方は一対のピンバーを含み、各ピンバーは少なくとも１つの開口を規定するバー部を有し、また前記伸長ピンは前記バー部に実質的に垂直に配置されている、請求項１に記載のシステム。
【請求項４】  前記伸長ピンは前記バー部の一端部に配置されている、請求項３に記載のシステム。
【請求項５】  前記少なくとも１つの開口は、スロット又は丸穴の一方である、請求項３に記載のシステム。
【請求項６】  さらに、手段であってこれにより前記ピンが前記シートバックに接続される手段を提供すべく前記第１の一対の横方向へ伸びる間隔をおかれかつ対向された据え付け場所又は前記第２の一対の横方向へ伸びる間隔をおかれかつ対向された据え付け場所の少なくとも一方に直接に接続された一対のアングルブラケットを含む、請求項１に記載のシステム。
【請求項７】  各アングルブラケットは第１の脚と第２の脚とを含み、前記第１の脚は前記シートバックを係合させる手段を有し、また前記第２の脚は、少なくとも１つの開口を規定するバー部と該バー部に実質的に垂直に配置された伸長ピンとを係合させるための手段を有し、
前記シートバック又は前記第１の脚の一方はスロットを規定し、また前記ピンバー又は前記第２の脚の一方はスロットを規定する、請求項６に記載のシステム。
【請求項８】  前記ブラケット部はベースを連結する２つの側部を含み、各側部は第１の端部と、第２の端部と、内面と、外面とを有し、また各側部はピンを受け入れるための相対するスロットを規定し、前記回転可能のカム本体と保持爪とは、それぞれ、シャフトを用いる前記ブラケットの２つの側部により支持される、請求項２に記載のシステム。
【請求項９】  前記保持爪は、一端部に大きい指をまた反対側の端部にアームを含み、前記カム本体はさらに前記大きい指を選択的に受け入れるための小さい窪みを規定する、請求項２に記載のシステム。
【請求項１０】  前記ブラケット部はベースを連結する２つの側部を含み、各側部は第１の端部と、第２の端部と、内面と、外面とを有し、また各側部はピンを受け入れるための相対するスロットを規定し、前記回転可能のカム本体及び保持爪はそれぞれシャフトを用いる２つの側部により支持され、前記解放可能の自動ロック機構は、さらに、第１の端部及び第２の端部であって前記第１の端部が前記ブラケットのベースに接しかつ前記第２の端部が前記爪に接する第１の端部及び第２の端部を有する偏倚要素を含む、請求項９に記載のシステム。
【請求項１１】  前記保持爪は、さらに、ボール伸長部を含み、また前記ブラケットはさらに前記ボール伸長部を解放可能に受け入れるためのレシーバを含む、請求項９に記載のシステム。
【請求項１２】  前記保持爪は、さらに、前記一端部に前記大きい指から間隔をおかれた小さい指を含み、また前記カム本体はさらに前記小さい指を選択的に受け入れるための溝を規定する、請求項９に記載のシステム。
【請求項１３】  さらに、前記シートバックと一体にされた取り外し可能のクッションを含み、該クッションは、密閉されたチャンバを規定しかつ弾性要素を取り囲む可撓性のある流体不浸透性の外皮と、前記チャンバ内への及び該チャンバからの流体流動を調整するために前記外皮と密に係合する弁とを含む、請求項１に記載のシステム。
【請求項１４】  前記弾性要素は前記外皮の内面に接着されている、請求項１３に記載のシステム。
【請求項１５】  一対の間隔をおかれた支持部材を据え付けるためにユーザが前後の位置決めを決定可能である取り外し可能のシートバックシステムであって、
一対の上方の据え付け場所と一対の下方の据え付け場所とを含み、一対の前記上方又は下方の据え付け場所が取り付けられたシートバックと、
前後移動が可能である一対の伸長ピン又はピン受け入れ部材の一方を含む第１の連結手段と、
前後移動が可能である一対の伸長ピン又は前記第１の連結手段を受け入れるように前記支持部材に配置された一対のピン受け入れ部材の一方を含む第２の連結手段とを含む、シートバックシステム。
【請求項１６】  前記ピン受けれ部材は、それぞれ、回転可能のカム本体を収容しかつ爪を保持するブラケット部を含み、前記カム本体は、伸長ピンを選択的に受け入れるための大きい窪みを規定する、請求項１５に記載のシステム。
【請求項１７】  ピンバーが伸長ピンを含み、各ピンバーは少なくとも１つの開口を規定するバー部を有し、また前記伸長ピンは前記バー部に実質的に垂直に配置されている、請求項１５に記載のシステム。
【請求項１８】  前記伸長ピンは前記バー部の一端部に配置されている、請求項１７に記載のシステム。
【請求項１９】  前記少なくとも１つの開口はスロット又は丸穴の一方である、請求項１７に記載のシステム。
【請求項２０】  さらに、一対の前記前又は後の据え付け場所に直接に接続された一対のアングルブラケットを含む、請求項１５に記載のシステム。
【請求項２１】  各アングルブラケットは第１の脚と第２の脚とを含み、前記第１の脚は前記シートバックを係合させる手段を有し、また前記第２の脚は、少なくとも１つの開口を規定するバー部を有し、前記伸長ピンは前記バー部上に実質的に垂直に配置され、
前記シートバック又は前記第１の脚の一方はスロットを規定し、また前記ピンバー又は前記第２の脚の一方はスロットを規定する、請求項２０に記載のシステム。
【請求項２２】  前記ブラケット部はベースを連結する２つの側部を含み、各側部は第１の端部と、第２の端部と、内面と、外面とを有し、また各側部はピンを受け入れるための相対するスロットを規定し、前記回転可能のカム本体と保持爪とは、それぞれ、シャフトを用いる前記ブラケットの２つの側部により支持される、請求項１６に記載のシステム。
【請求項２３】  前記保持爪は、一端部に大きい指をまた反対側の端部にアームを含み、前記カム本体はさらに前記大きい指を選択的に受け入れるための小さい窪みを規定する、請求項１６に記載のシステム。
【請求項２４】  前記ブラケット部はベースを連結する２つの側部を含み、各側部は第１の端部と、第２の端部と、内面と、外面とを有し、また各側部はピンを受け入れるための相対するスロットを規定し、前記回転可能のカム本体及び保持詰めはそれぞれシャフトを用いる２つの側部により支持され、前記解放可能の自動ロック機構は、さらに第１の端部及び第２の端部であって前記第１の端部が前記ブラケットのベースに接しかつ前記第２の端部が前記爪に接する第１の端部及び第２の端部を有する偏倚要素を含む、請求項２３に記載のシステム。
【請求項２５】  前記保持爪は、さらに、ボール伸長部を含み、また前記ブラケットはさらに前記ボール伸長部を解放可能に受け入れるためのレシーバを含む、請求項２３に記載のシステム。
【請求項２６】  前記保持爪は、さらに、前記一端部に前記大きい指から間隔をおかれた小さい指を含み、また前記カム本体はさらに前記小さい指を選択的に受け入れるための溝を規定する、請求項２３に記載のシステム。
【請求項２７】  さらに、前記シートバックと一体にされた取り外し可能のクッションを含み、該クッションは、密閉されたチャンバを規定しかつ弾性要素を取り囲む可撓性のある流体不浸透性の外皮と、前記チャンバ内への及び該チャンバからの流体流動を調整するために前記外皮と密に係合する弁とを含む、請求項１５に記載のシステム。
【請求項２８】  前記弾性要素は前記外皮の内面に接着されている、請求項２７に記載のシステム。
【請求項２９】  シートバックの前後の角度を調整するための方法であって前記シートバックが一対の上部横方向据え付け場所と一対の下部横方向据え付け場所とを含み、各上部横方向据え付け場所がバー部と伸長ピンとを有するピンバーを備え、各下部横方向据え付け場所がバー部と伸長ピンとを有するピンバーを備え、各伸長ピンが、係合時、前記シートバックの相対する横方向側部に配置された一対の実質的に真っ直ぐな支持要素に据え付け可能である受け入れ部材により受け入れ可能であり、前記調整方法は、
前記シートバックを前記支持要素から離すこと、
少なくとも１つのピンバーをその据え付け場所に関して後方又は前方の一方へ移すこと、
前記シートバックをこれに据え付けられた前記受け入れ部材を用いて前記支持要素に係合させることを含む、調整方法。
【請求項３０】  前記少なくとも１つのピンバーが開店される、請求項２９に記載の方法。